(57)【要約】【課題】容易にまな板を取りかえることができ、利便性及び機能性を向上させることができるまな板装置を提供することを目的とする。【解決手段】上記の課題を解決するために、本発明のまな板装置は、一つの収容空間を含むベースを有し、上記ベースの上記収容空間にまな板が解体できるように設けられる構成とされる。【選択図】        図２
2004194804.tif 000002
【特許請求の範囲】
【請求項１】
一つの収容空間を含むベースを有し、
上記ベースの上記収容空間にまな板が解体できるように設けられることを特徴とするまな板装置。
【請求項２】
少なくとも一つの予備の上記収納空間を含め、少なくとも一枚の予備の上記まな板を収納することを特徴とする請求項１記載のまな板装置。
【請求項３】
上記予備のまな板を収納する収納ボックスを有することを特徴とする請求項２記載のまな板装置。
【請求項４】
設置された上記収納ボックスは、連続の巻かれる上記予備のまな板を収納し、二枚ずつ隣接する上記予備のまな板には、広さの方向に沿って切断の痕が伸ばされ、上記切断の痕により二枚ずつ隣接する上記予備のまな板を容易に分離させることを特徴とする請求項３記載のまな板装置。
【請求項５】
上記ベースは、切断機構を有し、上記切断機構により二枚ずつ隣接する上記予備のまな板を上記切断の痕に沿って切断させることを特徴とする請求項４記載のまな板装置。
【請求項６】
上記ベースの両端に、逆Ｕ形の隔離板を設置し、上記隔離板毎と上記ベースとの間に、挿入できる開口溝が形成され、上記開口溝を経由して上記まな板を縦方向に沿って、上記ベースの上記開口溝に挿入し、上記ベースの上記収容空間に入れることを特徴とする請求項１乃至５いずれか一項記載のまな板装置。
【請求項７】
上記まな板の両端に、少なくとも第一孔を有し、上記隔離板毎に少なくとも第二孔を有し、更に、少なくとも一本のねじで上記第一孔、上記第二孔にねじ込んで強固に上記まな板を位置決めることを特徴とする請求項６記載のまな板装置。
【請求項８】
上記ベースの両端に、Ｌ形の隔離板を設置し、上記隔離板毎と上記ベースとの間に、挿入できる開口溝が形成され、上記開口溝を経由して、上記まな板を縦方向に沿って上記ベースの上記開口溝に挿入し、上記ベースの上記収容空間に入れることを特徴とする請求項１乃至７いずれか一項記載のまな板装置。
【請求項９】
上記ベースの少なくとも一端に隔離板が設けられ、上記隔離板と上記ベースの少なくとも一端に、挿入できる開口溝が形成され、上記開口溝は上記収容空間の一部であり、上記開口溝を経由して上記まな板を上記ベースの上記開口溝に挿入し、上記隔離板には、上記開口溝と連通するノッチと、上記ノッチに配置される二つの突出部とが設けられ、二つの上記突出部の間にレバーの一端が枢設され、上記レバーの一端に偏心孔が設けられ、上記レバーが第一位置に入るとき、上記まな板は上記レバーの一端に位置決められ、上記レバーが第二位置に入るとき、上記レバーの一端は上記まな板を位置決めないことを特徴とする請求項１乃至８いずれか一項記載のまな板装置。
【発明の詳細な説明】
【０００１】
【発明の属する技術分野】
本発明は、まな板装置に係り、特に、まな板を捨てて新しいまた板に容易に取り替えるために、解体、収納できるようなまな板を持つまな板装置に関するものである。
【従来の技術】
従来、一般的に木材で形成されたまな板が、次第にプラスチックで形成されたプラスチックまな板に取り替えられつつある。図1は、従来のまな板を示す斜視図である。図１に示すように、従来の典型的なプラスッチクまな板は、適合するプラスチック原料で射出成型を経由して、容易に作られている。
【発明が解決しようとする課題】
しかしながら、従来のまな板を使用していくうちに、まな板の表面には相当の深さの凹みが出来てくる。まな板の表面に凹みが形成される原因は、冷凍した硬い食品、例えば、冷凍した鶏肉、豚肉などをユーザがいつも大きな力で切ったりすることにより、まな板の表面も切れたり、削れたりして凹みが形成される。このようなまな板の表面の凹みには、垢や汚れがしみついて雑菌が繁殖する。また、従来のまな板は、約１ｃｍの厚さを持つが、磨耗された部分は破壊を招く恐れがある。従って、まな板の表面の一部分のみに１ｍｍ程度の凹みがある場合や、雑菌が繁殖した場合など、まな板を捨てなければならないという問題点があった。
【０００２】
よって、本発明は、上記の問題点を解決し、容易にまな板を取りかえることができ、利便性及び機能性を向上させることができるまな板装置を提供することを目的とする。
【０００３】
【課題を解決するための手段】
上記課題を解決するため、本発明は、一つの収容空間を含むベースを有し、上記ベースの上記収容空間にまな板が解体できるように設けられる構成とされる。
【０００４】
このようなまな板装置では、ベースの一つの収容空間にまな板が解体できるように設けられることにより、まな板が破損する可能性がある場合や衛生上好ましくない場合などに、容易にまな板を取りかえることができ、利便性及び機能性を向上させることができる。
【０００５】
また、本発明は、請求項２に記載されるように、少なくとも一つの予備の上記収納空間を含め、少なくとも一枚の予備の上記まな板を収納する構成としてもよい。
【０００６】
このようなまな板装置では、少なくとも一つの予備の収納空間及び予備のまな板を有することにより、効率的にまな板を取り換えることができ、機能性を向上させることができる。
【０００７】
また、本発明は、請求項３に記載されるように、上記予備のまな板を収納する収納ボックスを有する構成としてもよい。
【０００８】
このようなまな板装置では、予備のまな板を収納する収納ボックスを有することにより、予備のまな板を収納することができ、予備のまな板の汚れや破損を防ぐことができる。
【０００９】
また、本発明は、請求項４に記載されるように、設置された上記収納ボックスは、連続の巻かれる上記予備のまな板を収納し、二枚ずつ隣接する上記予備のまな板には、広さの方向に沿って切断の痕が伸ばされ、上記切断の痕により二枚ずつ隣接する上記予備のまな板を容易に分離させる構成としてもよい。
【００１０】
このようなまな板装置では、収納ボックスに連続の巻かれる予備のまな板を収納し、切断の痕により二枚ずつ隣接する予備のまな板を容易に分離させることにより、容易にまな板を取りかえることができ、利便性及び機能性を向上させることができる。
【００１１】
また、本発明は、請求項５に記載されるように、上記ベースは、切断機構を有し、上記切断機構により二枚ずつ隣接する上記予備のまな板を上記切断の痕に沿って切断させる構成としてもよい。
【００１２】
このようなまな板装置では、ベースの切断機構により二枚ずつ隣接する予備のまな板を切断の痕に沿って切断させることにより、容易にまな板を取りかえることができ、利便性及び機能性を向上させることができる。
【００１３】
また、本発明は、請求項６に記載されるように、上記ベースの両端に、逆Ｕ形の隔離板を設置し、上記隔離板毎と上記ベースとの間に、挿入できる開口溝が形成され、上記開口溝を経由して上記まな板を縦方向に沿って、上記ベースの上記開口溝に挿入し、上記ベースの上記収容空間に入れる構成としてもよい。
【００１４】
このようなまな板装置では、ベースの両端の逆Ｕ形の隔離板毎とベースとの間に、挿入できる開口溝が形成され、まな板を縦方向に沿って、開口溝に挿入して収容空間に入れることにより、予備のまな板を効率的に収納することができ、機能性を向上させることができる。
【００１５】
また、本発明は、請求項７に記載されるように、上記まな板の両端に、少なくとも第一孔を有し、上記隔離板毎に少なくとも第二孔を有し、更に、少なくとも一本のねじで上記第一孔、上記第二孔にねじ込んで強固に上記まな板を位置決める構成としてもよい。
【００１６】
このようなまな板装置では、まな板の両端に第一孔を有し、隔離板毎に第二孔を有し、一本のねじを第一孔と第二孔にねじ込んで強固にまな板を固定することができる。
【００１７】
また、本発明は、請求項８に記載されるように、上記ベースの両端に、Ｌ形の隔離板を設置し、上記隔離板毎と上記ベースとの間に、挿入できる開口溝が形成され、上記開口溝を経由して、上記まな板を縦方向に沿って上記ベースの上記開口溝に挿入し、上記ベースの上記収容空間に入れる構成としてもよい。
【００１８】
このようなまな板装置では、ベースの両端のＬ形の隔離板毎とベースとの間に、挿入できる開口溝が形成され、まな板を縦方向に沿ってベースの開口溝に挿入して収容空間に入れることにより、予備のまな板を効率的に収納することができ、機能性を向上させることができる。
【００１９】
以下に添付図面を参照して本発明のある好適な実施の形態を詳細に説明するが、それらの構成は本発明の構造の絶対的な制限にならない。
【００２０】
【発明の実施の形態】
以下、図を参照して本発明のまな板装置及びを説明する。
【００２１】
図２は、本発明の第１実施例におけるまな板装置を示す斜視図である。図３は、本発明の第１実施例におけるまな板装置を示す分解斜視図である。図２、図３に示すように、本発明のまな板装置は、ベース２０を含み、そのベース２０の一端に逆Ｕ形の隔離板２１を設置する。隔離板２１とベース２０の一端との間に挿入、放置できる開口溝２２が形成される。まな板１０は、縦方向に沿って、ベース２０の開口溝２２に挿入され、ベース２０の収容空間２０ａに入る。開口溝２２は収容空間２０ａの一部である。まな板１０をベース２０の収容空間２０ａに挿入したときに、まな板１０の一端は開口溝２２に収納される。もう一枚逆Ｕ型の隔離板２１はベース２０の他の一端に設置され、まな板１０の別端を収納する、ねじ２３は、二枚隔離板２１の孔２１１及びまな板１０の両端の孔１１にねじ込まれ、丈夫にまな板１０を位置決める。ベース２０の別端のもう一枚逆Ｕ型の隔離板２１に、開口溝（図面に図示せず）もある。まな板１０は選択できるように、いずれの開口溝を経由して、ベース２０の収容空間２０ａに挿入する。このような構造により、まな板１０が破損する可能性がある場合や衛生上好ましくない場合などに、まな板１０を容易にベース２０から外すことができる。また、本発明のまな板１０の厚さは、従来の製品の半分の厚さで形成されるため、使用する材料を削減することができるため、製造コストを削減することができる。
【００２２】
図４は、本発明の第２実施例におけるまな板装置を示す斜視図である。図４に示すように、ベース２０の両端に、Ｌ型の隔離板２１’を設ける。これにより、開口溝２２’が定義される。そうすると、まな板１０を横方向に沿って、ベース２０の収容空間２０ｂに挿入する。同じように、ネジ２３でまな板１０を強固に位置決める。
【００２３】
図５は、本発明の第３実施例における予備のまな板を収納する収納ボックスを示す透視図である。図５に示すように、収納ボックス３０は、連続して巻かれた予備のまな板１０を収納する。二枚ずつ隣接しているまな板１０において、広さの方向に沿って、各まな板１０を切断するための切断の痕１２が形成されている。
【００２４】
図６は、本発明の第３実施例におけるまな板装置と収納ボックスとを示す斜視図である。図６において、一番外面のまな板１０をベース２０の収容空間２０ａに挿入して、ねじ２３で強固に位置決める。隔離板２１のエッジに設置する切断機構２４は一番外面のまな板１０を残ったまな板１０’から分離させる。
【００２５】
図７は、図６に示すまな板装置を示す斜視図である。図７に示すように、まな板１０’から分離させた後のまな板装置が使用可能となり、残ったまな板１０’を収納するので、予備のまな板１０’の汚れや破損を防ぐことができる。
【００２６】
図８は、本発明の第４実施例におけるまな板装置を示す斜視図である。図８において、隔離板２１毎に、開口溝２２と連通するノッチ２５及びノッチ２５に配置される突出部２６が設けられる。レバー２７の一端を二つの突出部２６の間に枢設する。ピン２８を突出部２６の孔２６１、レバー２７の一端の偏心孔２７１に貫通する。
【００２７】
図９は、まな板が位置決めされていない状態を示すまな板装置のＡ−Ａ断面図である。図１０は、まな板が位置決めされている状態を示すまな板装置のＡ−Ａ断面図である。図９において、レバー２７がリリースの位置に入るとき、図９に示すように、まな板１０は位置決められない。それに対して、図１０に示すように、レバー２７の一端がノッチ２５に移動して、まな板１０の上表面に押されるので、まな板１０を丈夫に位置決めることができる。
【００２８】
図１１は、本発明の第５実施例におけるまな板装置を示す斜視図である。ベース２０は少なくとも一つ予備の収納空間２９を含め、少なくとも、一枚の予備のまな板１０を収納する。古いまな板１０を捨てたい場合に、新しいまな板１０と取り換えることができるように、予備の収納空間２９を設け、その収納空間２９に新しいまな板１０を収納することができる。また、まな板装置の強度に影響を及ぼすことなくその収納空間２９に新しいまな板１０を収納することができる。
【００２９】
図１２は、本発明の第６実施例におけるまな板装置を示す斜視図である。図１２において、構成が容易な収納ボックス４０は、予備のまな板１０及び（又は）使用して捨てたいまな板１０を収納することができる。
【００３０】
尚、上記まな板装置は上記構成に限定されることなく、類似の改良、変形、修飾されたまな板装置の構造においても適応可能である。
【００３１】
【発明の効果】
上述の如く本発明によれば、一つの収容空間を含むベースを有し、ベースの一つの収容空間にまな板が解体できるように設けられることにより、まな板が破損する可能性がある場合や衛生上好ましくない場合などに、容易にまな板を取りかえることができ、利便性及び機能性を向上させることができる。
【図面の簡単な説明】
【図１】従来のまな板を示す斜視図である。
【図２】本発明の第１実施例におけるまな板装置を示す斜視図である。
【図３】本発明の第１実施例におけるまな板装置を示す分解斜視図である。
【図４】本発明の第２実施例におけるまな板装置を示す斜視図である。
【図５】本発明の第３実施例における予備のまな板を収納する収納ボックスを示す透視図である。
【図６】本発明の第３実施例におけるまな板装置と収納ボックスとを示す斜視図である。
【図７】図６に示すまな板装置を示す斜視図である。
【図８】本発明の第４実施例におけるまな板装置を示す斜視図である。
【図９】まな板が位置決めされていない状態を示すまな板装置のＡ−Ａ断面図である。
【図１０】まな板が位置決めされている状態を示すまな板装置のＡ−Ａ断面図である。
【図１１】本発明の第５実施例におけるまな板装置を示す斜視図である。
【図１２】本発明の第６実施例におけるまな板装置を示す斜視図である。
【符号の簡単な説明】
１０、１０’        まな板
１１                孔
２０                ベース
２０ａ              収容空間
２１、２１’        隔離板
２２、２２’        開口溝
２３                ねじ
２４                切断機構
２５                ノッチ
２６                突出部
２７                レバー
２８                ピン
２１１              孔
２７１              偏心孔
【図１】
2004194804.tif 000003
【図２】
2004194804.tif 000004
【図３】
2004194804.tif 000005
【図４】
2004194804.tif 000006
【図５】
2004194804.tif 000007
【図６】
2004194804.tif 000008
【図７】
2004194804.tif 000009
【図８】
2004194804.tif 000010
【図９】
2004194804.tif 000011
【図１０】
2004194804.tif 000012
【図１１】
2004194804.tif 000013
【図１２】
2004194804.tif 000014